(57)【要約】【課題】建物などへの組み付け施工が煩雑化することなく、板ガラス製のプレートの板面に直交する方向の撓み変形を防止することができる補強付きプレートを提供する。【解決手段】板ガラス２製のプレートＢに補強用線材１を設けてある補強付きプレートであって、線材を、その長手方向に沿って板ガラスに対して相対変位可能な状態で、張力を付与自在に、板面に沿わせてプレートの肉厚内に設けてある。【選択図】        図１
2004277247.tif 000002
【特許請求の範囲】
【請求項１】
板ガラス製のプレートに補強用線材を設けてある補強付きプレートであって、
前記線材を、その長手方向に沿って前記板ガラスに対して相対変位可能な状態で、張力を付与自在に、板面に沿わせて前記プレートの肉厚内に設けてある補強付きプレート。
【請求項２】
前記線材を、略全長に亘って張力を外部から付与可能で、かつ、前記板ガラスを反力受け部材として張力を付与した状態で保持可能に設けてある請求項１記載の補強付きプレート。
【請求項３】
板ガラスの複数を、それらの板面どうしの間に設けた弾性接合層を介して接合して、前記プレートを構成し、
前記線材を前記弾性接合層に配設してある請求項１又は２記載の補強付きプレート。
【請求項４】
板ガラス製のプレートに補強用線材を設けてある補強付きプレートであって、
前記線材を、前記板ガラスを反力受け部材として張力を付与した状態で、板面に沿わせて前記プレートの肉厚内に設けてある補強付きプレート。
【発明の詳細な説明】
【０００１】
【発明の属する技術分野】
本発明は、板ガラス製のプレートに補強用線材を設けてある補強付きプレートに関する。
【０００２】
【従来の技術】
従来から、金属線を肉厚内に封入してある網入り板ガラスや線入り板ガラスなどが知られており、これらの板ガラスは、ガラスが破損した場合でも、破片が散らばらないように金属線で保持できるので、防火や飛散防止を主な目的として使用されている（従来から周知の技術であり、適当な文献を記載できない）  。
【０００３】
【発明が解決しようとする課題】
上記従来の金属線を封入してある板ガラスは、板ガラスの板面に直交する方向の撓み変形を防止するために金属線を封入したものではないために、板ガラスの板面に直交する方向の撓み変形を防止するためには、撓み矯正用の副資材を別途設ける必要があり、建物などへの組み付け施工が煩雑化する欠点がある。
本発明は上記実情に鑑みてなされたものであって、建物などへの組み付け施工が煩雑化することなく、板ガラス製のプレートの板面に直交する方向の撓み変形を防止することができる補強付きプレートを提供することを目的とする。
【０００４】
【課題を解決するための手段】
請求項１記載の発明の特徴構成は、板ガラス製のプレートに補強用線材を設けてある補強付きプレートであって、前記線材を、その長手方向に沿って前記板ガラスに対して相対変位可能な状態で、張力を付与自在に、板面に沿わせて前記プレートの肉厚内に設けてある点にある。
【０００５】
〔作用及び効果〕
板ガラス製のプレートの肉厚内に、補強用線材を、その長手方向に沿って板ガラスに対して相対変位可能な状態で、張力を付与自在に設けてあるので、線材に張力を付与して、その線材が緩まないように両端側を固定しておくことにより、板ガラス製のプレートの板面に直交する方向の撓みを線材で矯正することができ、撓み矯正用の副資材を特に設けることなく、つまり、建物などへの組み付け施工が煩雑化することなく、板ガラス製のプレートの板面に直交する方向の撓み変形を防止することができる。
また、補強用線材をプレートの肉厚内に設けてあるので、線材が外気に曝されることによる劣化を防止でき、板ガラス製のプレートの板面に直交する方向の撓み変形を長期に亘って防止することができる。
【０００６】
請求項２記載の発明の特徴構成は、前記線材を、略全長に亘って張力を外部から付与可能で、かつ、前記板ガラスを反力受け部材として張力を付与した状態で保持可能に設けてある点にある。
【０００７】
〔作用及び効果〕
補強用線材を、略全長に亘って張力を外部から付与可能で、かつ、板ガラスを反力受け部材として張力を付与した状態で保持可能に設けてあるので、線材に略全長に亘って張力を付与して、その反力がプレストレスとして板ガラスに作用するように保持することで、板ガラス製のプレートの板面に直交する方向の撓み変形を防止できるだけでなく、補強用の副資材を特に設けることなく、板ガラス製のプレートの引っ張り強度や曲げ強度を補強することもできる。
また、補強用線材をプレートの肉厚内に設けてあるので、線材が外気に曝されることによる劣化を防止でき、引っ張り強度や曲げ強度の補強効果が低下しにくい。
【０００８】
請求項３記載の発明の特徴構成は、板ガラスの複数を、それらの板面どうしの間に設けた弾性接合層を介して接合して、前記プレートを構成し、前記線材を前記弾性接合層に配設してある点にある。
【０００９】
〔作用及び効果〕
板ガラスの複数を、それらの板面どうしの間に設けた弾性接合層を介して接合し、その接合層に線材を設けてあるので、板ガラスが破損しても、その破片が弾性接合層を介して線材に支持されて、周囲に飛散しにくい。
【００１０】
請求項４記載の発明の特徴構成は、板ガラス製のプレートに補強用線材を設けてある補強付きプレートであって、前記線材を、前記板ガラスを反力受け部材として張力を付与した状態で、板面に沿わせて前記プレートの肉厚内に設けてある点にある。
【００１１】
〔作用及び効果〕
補強用線材を、板ガラスを反力受け部材として張力を付与した状態で、板面に沿わせてプレートの肉厚内に設けて、板ガラス製のプレートの板面に直交する方向の撓みを線材で矯正できるようにしてあるので、撓み矯正用の副資材を特に設けることなく、つまり、建物などへの組み付け施工が煩雑化することなく、板ガラス製のプレートの板面に直交する方向の撓み変形を防止できるように、建物などへ組み付けることができる。
また、線材に付与した張力の反力をプレストレスとして板ガラスに作用させて、板ガラス製のプレートの引っ張り強度や曲げ強度を補強してあるので、補強用の副資材を特に設けることなく、建物などへ組み付けることができる。
その上、補強用線材をプレートの肉厚内に設けてあるので、線材が外気に曝されることによる劣化を防止でき、板ガラス製のプレートの板面に直交する方向の撓み変形を長期に亘って防止することができるとともに、引っ張り強度や曲げ強度の補強効果も低下しにくい。
【００１２】
【発明の実施の形態】
以下に本発明の実施の形態を図面に基づいて説明する。
〔第１実施形態〕
図１〜図４は、板ガラス製のプレートＢに補強用線材１をプレート長手方向に沿って設けてある本発明による補強付きプレートの一例としての補強付き帯板ガラス（以下、単に帯板ガラスという）  Ａを示し、この帯板ガラスＡは、図５，図６に示すように、ビル等の建物の外壁面を構成するガラスカーテンウォールＷなどに板面を水平方向に沿わせて組付けることができるようにしてある。
【００１３】
前記帯板ガラスＡは、同じ厚さの二枚の透明な板ガラス２の板面どうしの間に、樹脂シート４の両面に接着層を設けてある透明な弾性接合層（中間膜）  ３を挟み込んで加熱・加圧することで、二枚の板ガラス２を接合層３を介して互いに接合してある合わせガラス（板ガラス製のプレート）  Ｂで構成してある。
【００１４】
そして、複数の線材１を板面に沿って間隔を隔てて互いに平行なストライプ状に配設して樹脂シート４の肉厚内に設けて、各線材１を、その長手方向に沿って両板ガラス２に対して相対変位可能な状態で、板面に沿わせて合わせガラスＢの肉厚内に設け、図４に示すように、各線材１の両端部を両板ガラス２の長手方向の端面よりも樹脂シート４から突出させて、各突出端部を金属製の取り付け軸部材７に固定してある。
【００１５】
前記取り付け軸部材７は雄ネジ部５と筒軸部６とを備え、各線材１の両突出端部を筒軸部６に挿通して、接着やかしめによって一体に固定してあり、ナット８を帯板ガラスＡ側への移動を阻止した状態で左右両雄ネジ部５にねじ込むことにより、線材１を引っ張って、各線材１に張力を付与自在に設けてある。
【００１６】
前記線材１の各々は断面形状が直径が１ｍｍ以下の略円形で、炭素繊維やアラミド繊維などの引っ張りに強い繊維を使用して形成してあるが、金属繊維を使用して形成しても、例えば、ステンレス鋼線や硬鋼線などの金属線材で構成してあっても良い。
【００１７】
図５，図６は、上記帯板ガラスＡの複数を、ガラスカーテンウォールＷの室内側に、板面を水平方向に沿わせて組み付けてある状態を示している。
【００１８】
前記ガラスカーテンウォールＷは、強化ガラス又は合わせガラス又は複層ガラス等からなるガラスパネルＰの複数を上下左右に隣接させて複数の支持具９で支持して構成してあり、隣接する複数のガラスパネルＰの間には、防水などの目的から弾性目地材Ｓを充填してある。
【００１９】
そして、図６に示すように、各支持具９に設けた支柱部１０に、縦リブガラスＶＲを取り付ける縦リブ取付け部１１と、帯板ガラスＡを水平リブガラスＨＲとして取り付ける水平リブ取付け部１２とを設けて、上下方向で対向する支持具９の縦リブ取付け部１１に亘って縦リブガラスＶＲを取り付け、水平方向で対向する支持具９の水平リブ取付け部１２に亘って帯板ガラスＡを板面を水平方向に沿わせて取り付けてある。
【００２０】
前記水平リブ取付け部１２は、各線材１の端部に固定した取り付け軸部材７を挿通する複数の貫通孔を形成してある支持アーム１３を設けてあり、左右の支持アーム１３の貫通孔に帯板ガラスＡの取り付け軸部材７を挿通して、その雄ネジ部５にナット８を締め付けることにより、支持アーム１３を反力受け部材として各線材１に張力を付与するとともに、その線材１が緩まないように両端側を固定して、帯板ガラスＡの板面に直交する方向、つまり、上下方向の撓みを線材１で矯正し、帯板ガラスＡの撓み変形を防止してある。
【００２１】
尚、図示しないが、補強用線材１を弾性接合層３に対して非接着状態で設けることにより、線材１を、その長手方向に沿って両板ガラス２に対して相対変位可能な状態で、張力を付与自在に、板面に沿わせて帯板ガラスＡの肉厚内に設けてあっても良い。
【００２２】
〔第２実施形態〕
図７は、補強付きプレート（帯板ガラス）  Ａの別実施形態を示し、線材１に固定した取り付け軸部材７を挿通する複数の貫通孔１４を形成してある四角柱状の固定金物１５を、帯板ガラスＡの長手方向両端面に接着固定し、各貫通孔１４に挿通した取り付け軸部材７の雄ネジ部５にナット８をねじ込むことにより、各補強用線材１を、全長に亘って張力を外部から付与可能で、かつ、固定金物１５を介して板ガラス２を反力受け部材として張力を付与した状態で保持可能に設けてある。
【００２３】
そして、図８に示すように、各貫通孔１４に挿通した取り付け軸部材７の雄ネジ部５にナット８をねじ込み固定して、各補強用線材１を、固定金物１５を介して板ガラス２を反力受け部材として張力を付与した状態で、板面に沿わせて帯板ガラスＡの肉厚内に設けて、各線材１に付与した張力の反力をプレストレスとして各板ガラス１に作用させてある。
その他の構成は第１実施形態と同様である。
【００２４】
〔その他の実施形態〕
１．本発明による補強付きプレートは、単一の板ガラスからなるプレートの肉厚内に補強用線材を設けてあっても良い。
２．本発明による補強付きプレートは、単一の補強用線材を板面に沿わせてプレートの肉厚内に設けてあっても良い。
３．本発明による補強付きプレートは、板ガラス自体や二枚の板ガラスの板面どうしを接合する弾性接合層に、プレートの板面に沿った貫通孔を形成して、その貫通孔に補強用線材を挿通してあっても良い。
４．本発明による補強付きプレートは、補強用線材をプレートの肉厚中心よりも外面側の肉厚内に板面に沿わせて設けてあっても良い。
５．本発明による補強付きプレートは、プレートの肉厚中心よりも外面側の肉厚内に板面に沿わせて設けた補強用線材を、略全長に亘って張力を外部から付与可能で、かつ、板ガラスを反力受け部材として張力を付与した状態で保持可能に設けて、板面に垂直な方向の曲げ剛性を効率良く高めることができるようにしてあっても良い。
６．本発明による補強付きプレートは、補強用線材を、板ガラスを反力受け部材として張力を付与した状態で、板面に沿わせてプレートの肉厚中心よりも外面側の肉厚内に板面に沿わせて設けて、板面に垂直な方向の曲げ剛性を効率良く高めてあっても良い。
７．本発明による補強付きプレートは、複数の補強用線材を板面に沿ってメッシュ状に配置して設けてあっても良い。
８．本発明による補強付きプレートは、断面形状が楕円形や四角形の補強用線材を使用して設けてあっても良い。
９．本発明による補強付きプレートは、板面を上下方向に沿わせてガラスパネルなどに組付けるガラスリブであっても良い。
１０．本発明による補強付きプレートは、建物外周部や建物内を区画するために使用するガラスパネルなどであっても良い。
１１．本発明による補強付きプレートは、製造工場などにおいて、張力を付与した状態の補強用線材を、全長に亘って板ガラスに接着したり、部分的に板ガラスに接着したりして、板ガラスを反力受け部材として張力を付与した状態で、板面に沿わせて肉厚内に設けてあっても良い。
１２．本発明による補強付きプレートを構成する板ガラスは、フロートガラス，強化ガラス，合わせガラス，複層ガラスなどのいずれであっても良く、その品種や構成は限定されないが、透明又は略透明な板ガラスであれば、複数の補強用線材によってストライプ状やメッシュ状の意匠感を現出できる。
【図面の簡単な説明】
【図１】補強付きプレートの一部省略平面図
【図２】補強付きプレートの一部省略縦断面図
【図３】補強付きプレートの一部省略横断面図
【図４】補強付きプレートの一部省略拡大縦断面図
【図５】補強付きプレートの組み付け状態を示す斜視図
【図６】補強付きプレートの組み付け状態を示す要部拡大斜視図
【図７】第２実施形態の補強付きプレートの一部省略斜視図
【図８】第２実施形態の補強付きプレートの一部省略平面図
【符号の説明】
２  板ガラス
１  線材
３  弾性接合層
【図１】
2004277247.tif 000003
【図２】
2004277247.tif 000004
【図３】
2004277247.tif 000005
【図４】
2004277247.tif 000006
【図５】
2004277247.tif 000007
【図６】
2004277247.tif 000008
【図７】
2004277247.tif 000009
【図８】
2004277247.tif 000010